(57)【要約】【課題】映像を投影するスクリーンには映像情報とは別に付加する付加情報を表示することなくスクリーンに投影された映像や映像に関連する付加情報を取得し、取得した付加情報に基づいて受光装置が作動する投影システムを提供すること【解決手段】パネル６に表示された映像情報をスクリーン３に投影する投影装置１と、スクリーン３からの反射光を受光する受光装置２とを備えた投影システムＡであって、上記投影装置１はＬＥＤ７を光源とし、上記パネル６に表示された映像情報を上記スクリーン３に投影するとともに、投影する映像情報に付加する付加情報を上記ＬＥＤ７の点滅に変換して出力し、上記受光装置２は上記スクリーン３の反射光から上記ＬＥＤ７の点滅パターンを読み取り、読み取った点滅パターンに基づいて付加情報を取得し、取得した付加情報に基づいて内装した作動装置Ｂを作動させるようにした。【選択図】図１
2010025994.tif 000002
【特許請求の範囲】
【請求項１】
パネルに表示された映像情報をスクリーンに投影する投影装置と、スクリーンからの反射光を受光する受光装置とを備えた、以下の要件を備えることを特徴とする投影システム。
（イ）上記投影装置はＬＥＤを光源とし、上記パネルに表示された映像情報を上記スクリーンに投影すること
（ロ）上記投影装置は投影する映像情報に付加する付加情報を上記ＬＥＤの点滅に変換して出力すること
（ハ）上記受光装置は上記スクリーンの反射光から上記ＬＥＤの点滅パターンを読み取り、読み取った点滅パターンに基づいて、映像情報に付加する付加情報を取得し、取得した付加情報に基づいて内装した作動装置を作動させること
【請求項２】
前記映像情報と付加情報とは記憶媒体に記憶させ、前記投影装置に装着可能にするとともに、前記受光装置は前記映像情報に関連した形状又は作動する作動装置の何れか一方又は両方を備えた、請求項１記載の投影システム。
【発明の詳細な説明】
【技術分野】
【０００１】
本発明は、投影システム、詳しくは投影装置と、該投影装置が映像を投影するスクリーンからの反射光を受光する受光装置とから構成された投影システムに関するものである。
【背景技術】
【０００２】
従来、投影装置は映像情報をスクリーンに投影するもので様々な投影装置が提案され実用に供されているが、単に映像情報を投影するだけではなくスクリーンに投影した映像を利用する投影装置が提案されている（例えば、特許文献１）。この投影装置は、焦点調節を行なうための基準パターンをスクリーンに投影し、スクリーンに投影された基準パターンを有する画像を一対の受光手段で受光し、一対の受光手段からの出力に基づいてレンズ部材を駆動して焦点調節を行うものである。
【特許文献１】特開２００４−９３８９０号公報
【発明の開示】
【発明が解決しようとする課題】
【０００３】
本発明が解決しようとする問題点は、焦点調節を行なうために基準パターンをスクリーンに投影しているが、映像情報とは全く異なる情報（基準パターン）を投影するため、映像情報を投影する前に基準パターンを投影する必要があり、映像情報を投影しながら異なる情報を投影するとその異なる情報が視覚に入り目障りになる恐れがあり、投影面に映像以外の情報が投影されることは問題があった。
【０００４】
本発明は、上記問題点を解決し、映像を投影するスクリーンには映像情報とは別に付加する付加情報を表示することなくスクリーンに投影された映像や映像に関連する付加情報を取得し、取得した付加情報に基づいて受光装置が作動する投影システムを提供することを課題とする。
【課題を解決するための手段】
【０００５】
前記課題を解決するために本発明に係る投影システムは、パネルに表示された映像情報をスクリーンに投影する投影装置と、スクリーンからの反射光を受光する受光装置とを備えた、以下の要件を備えることを特徴とする。
（イ）上記投影装置はＬＥＤを光源とし、上記パネルに表示された映像情報を上記スクリーンに投影すること
（ロ）上記投影装置は投影する映像情報に付加する付加情報を上記ＬＥＤの点滅に変換して出力すること
（ハ）上記受光装置は上記スクリーンの反射光から上記ＬＥＤの点滅パターンを読み取り、読み取った点滅パターンに基づいて、映像情報に付加する付加情報を取得し、取得した付加情報に基づいて内装した作動装置を作動させること
【０００６】
なお、前記映像情報と付加情報とは記憶媒体に記憶させ、前記投影装置に装着可能にするとともに、前記受光装置は前記映像情報に関連した形態又は作動する作動装置の何れか一方又は両方を備えることが好ましい。
【発明の効果】
【０００７】
請求項１の発明によれば、映像情報と映像情報に付加した付加情報とをスクリーンに投影する際、同時に表示することができるとともに、投影装置と受光装置とを物理的に接続することなく、しかも映像情報に重ねて付加情報を表示することがないので視覚的に影響のない投影システムを構築することができる。
【０００８】
請求項２の発明によれば、スクリーンに投影された映像に関連する形状の受光装置が作動するので、記憶媒体と受光装置とをセットにしてユーザーに提供することができ、ユーザーの好みの映像情報に対応して作動する受光装置を映像とともに楽しむことができる。
【発明を実施するための最良の形態】
【０００９】
図１は、本発明に係る投影システムＡの一例を示し、この投影システムＡはスクリーン３に映像を投影する投影装置１と、スクリーン３から反射する反射光を受光する受光装置２とで構成されている。
【００１０】
図２（ａ）は、投影装置１のブロック図を示し、制御部５はパネル（液晶パネル）６に映像を表示させ、ＬＥＤ７を点灯させることにより、ＬＥＤ７の光は集光レンズ８で集光されて液晶パネル６を透過し、液晶パネル６に表示されている映像は、投影レンズ９を通してスクリーン３に投影されるようになっている、
なお、制御部５にはソケット１０を介してデータカセット１１が接続されるようになっており、このデータカセット１１には映像情報と音声情報と映像情報に関連して受光装置２の作動を制御するための付加情報とを記憶した記憶媒体１２が収容されている。
【００１１】
データカセット１１をソケット１０にセットすると、制御部５は記憶媒体１２に記憶されている映像情報と、付加情報とを読み出し、映像情報に基づいて液晶パネル６に映像を表示するとともに、付加情報に基づいてＬＥＤ７の点滅を行い液晶パネル６に表示された映像をスクリーン３に投影するようになっている。
【００１２】
スクリーン３に投影する映像情報と付加情報とは、図３（ａ）に示すように、映像情報がパネルに表示されると同時に、図３（ｂ）に示すように、ＬＥＤ７が点灯し、パネルに表示された映像情報はＬＥＤ７の光でスクリーン３に投影される。映像情報の表示されている時間の中で、付加情報を表示させたい時間帯Ｔ（受光装置２を作動させたい時間帯）になるとＬＥＤ７を付加情報に基づいて点滅（輝度変調）させる。
【００１３】
なお、このＬＥＤ７の点滅で映像は点滅することになるが、この点滅は人間の視覚では認識できないような短いサイクルの点滅であればよい。
【００１４】
なお、図２（ａ）において、符号１３は制御プログラムや制御データを記憶した内部メモリ、符号１４は効果音を出力するスピーカを示し、記憶媒体１２に記憶されている音声データを再生することにより映像に関連した効果音を出力するようになっている。
【００１５】
一方、受光装置２は、図２（ｂ）に示すように、スクリーン３からの反射光を受光する受光部（受光センサ）２０と、受光部２０で受光した反射光の変化をデジタル信号（２値化データ）にするＡＤ変換回路２１と、変換したデジタル信号に基づいて付加情報を認識し、認識した付加情報に基づいて作動装置Ｂを作動させる制御部２２とが配置されている。
【００１６】
受光装置２は人形、動物、植物などの任意の形状の形象玩具で構成されていればよく、その形象に応じて音声を出力したり、動作をしたり、発光したり適宜の作動をおこなうように作動装置が収容され、制御部２２が作動装置Ｂの制御を行うようになっていればよい。例えば、作動装置Ｂがスピーカ２３とモータ２４で構成され、形象が動物であれば、スピーカ２３から鳴声を出力したり、モータ２４を作動させて体を動かすようにすればよい。また、形象が植物であればモータ２４を作動させてファンを動かしアロマを発散させたりすればよい。
【００１７】
スクリーン３に映像情報が投影されると、スクリーン３で反射した反射光は受光装置２の受光センサ２０で検出され、図３（ｃ）に示すように、ＬＥＤ７の点灯状態に同期して反射光が検出され、輝度変調したときには、その輝度変調が付加情報として認識されるようになっている。付加情報が認識されると制御部２２はその付加情報に対応した動作データをメモリ２５から読み出し、その動作データに基づいて作動装置Ｂを所定時間作動させるようになっている（図３（ｄ）参照）。
【００１８】
上記構成の投影装置によれば、ユーザーが見たい映像情報が記憶媒体１２に記憶されているカセット１１と、このカセット１１とセットになっており映像情報に関連する形状、動作を行う受光装置２とを選択し、選択したカセット１１を投影装置１のソケット１０にセットし、電源をＯＮすれば映像情報と付加情報とが記憶媒体１２から読み出され、映像情報は液晶パネル６に表示されるとともに所定のタイミングでＬＥＤ７が付加情報に基づいて点滅する。このＬＥＤ７の点滅は人間の視覚では感じないような早い点滅で行なわれＬＥＤ７は継続して点灯している状態としか認識できないようになっている。
【００１９】
投影装置１の電源ＯＮに対応して受光装置２の電源をＯＮすれば、受光部２０は、スクリーン３から反射する反射光を受光センサ２０で受光し、受光した反射光の点滅はＡＤ変換回路２１でデジタル信号に変換され、制御部２２に入力される。制御部２２は、入力されたデジタル信号から付加情報を認識し、認識した付加情報に関連する動作データをメモリ２５から読み出し、その動作データ（音声データ、モータ駆動データ）を制御信号に変換して出力し、作動装置Ｂ（モータ２４、スピーカ２５）を作動させる。
【００２０】
例えば、図４に示すように、受光装置２がウサギを模した動物玩具で、スクリーン３に投影された映像が途中から怪獣に代わった時（時間帯Ｔ）、ＬＥＤ７を怪獣を定義する付加情報に基づいて点滅させると、受光装置２がＬＥＤ７の点滅パターンを認識し、このパターンに基づいて付加情報を認識し、この付加情報に対応した動作データをメモリ２５から読み出して制御信号に変換して出力すると、受光装置（ウサギ）２は「キャー」という音声をスピーカ２３から出力するとともに、モータ２４を所定時間回転させ、図示しないバイブレーション機構を作動させて体を所定時間震わせるようにすればよい。
【００２１】
また、図５に示すように、スクリーン３に投影する映像情報が南国の島であれば、受光装置２を花を模した形象物で構成し、ＬＥＤ７を南国の島を定義する付加情報のパターンで点滅させた場合、受光装置２がＬＥＤ７の点滅（輝度変調）を付加情報として認識し、この付加情報に基づいて、形象物はアロマを発散させながら揺動し、ハワイアンのメロディを出力して室内を南国の気分になるようにしてもよい。
【００２２】
上記構成の投影システムによれば、受光装置２とセットになっているカセット１１を投影装置１のソケット１０にセットし、電源をＯＮすれば映像情報は記憶媒体１２から読み出され、液晶パネル６に表示されるとともに、付加情報が記憶媒体１２から読み出され、制御部５はこの付加情報に基づいてＬＥＤ７を点滅制御する。
【００２３】
ＬＥＤ７の光は集光レンズ８、液晶パネル６を透過し、液晶パネル６に表示されている映像は投影レンズ９でスクリーン３に投影される。このスクリーン３に投影された映像はスクリーン３で反射し、この反射光は受光装置２の受光部２０で受光される。
【００２４】
スクリーン３で反射された反射光を受光部２０が受光すると、受光した光はＡＤ変換部２１でデジタル信号に変換され制御部５に入力されるので制御部５は入力されたデジタル信号からスクリーンに投影された映像に関連する付加情報を認識し、付加情報に関連する動作データをメモリ２５から読み出し、その動作データに基づいて作動装置Ｂを作動させる。
【００２５】
この作動装置Ｂは、モータで構成されている場合はモータの動作を制御して玩具を動作させ、スピーカで構成されている場合は音声データを出力し、液晶パネルで構成されている場合は文字情報で表示するなど、作動装置に応じた制御を行なえばよい。
【図面の簡単な説明】
【００２６】
【図１】本発明に係る投影システムの構成図
【図２】（ａ）（ｂ）は投影装置と受光装置のブロック図
【図３】映像情報と付加情報を説明するタイムチャート図
【図４】上記投影システムの一例を説明する斜視図
【図５】上記投影システムの他の例を説明する斜視図
【符号の説明】
【００２７】
１    投影装置
２    受光装置
３    スクリーン
５    制御部
６    パネル（液晶パネル）
７    ＬＥＤ
Ａ    投影システム
Ｂ    作動装置
【図１】
2010025994.tif 000003
【図２】
2010025994.tif 000004
【図３】
2010025994.tif 000005
【図４】
2010025994.tif 000006
【図５】
2010025994.tif 000007